(57)【要約】【課題】  表示パネルに配列された発光素子の点灯率が高い場合においては低消費電力化を実現し、点灯率が低い場合においては画面のコントラストを上げることができる発光表示パネルの駆動装置を提供すること。【解決手段】  画素回路４１〜４４と、これにより点灯駆動される発光素子Ｅ１〜Ｅ４の組み合わせによる発光画素が縦横方向に多数配列されて、アクティブマトリクス型表示パネル１を構成している。前記各発光素子のアノード側を共通接続してなる共通アノード線５、または各発光素子のカソード側を共通接続してなる共通カソード線６の少なくともいずれか一方に、輝度調整手段として機能する抵抗素子Ｒａ，Ｒｋが接続される。前記抵抗素子Ｒａ，Ｒｋを具備することにより、発光素子の点灯率が高い場合においては低消費電力化を実現し、点灯率が低い場合においては画面のコントラストを上げることができる。【選択図】  図２
2006276324.tif 000002
【特許請求の範囲】
【請求項１】
多数の発光素子を表示用画素として配列し、前記各発光素子を映像信号に基づいて選択的に発光駆動させるように構成した発光表示パネルの駆動装置であって、
前記各発光素子のアノード側を共通接続してなる共通アノード線、または前記各発光素子のカソード側を共通接続してなる共通カソード線の少なくともいずれか一方に、前記表示パネルに配列された発光素子の点灯率に応じて、当該発光素子の点灯輝度を調整することができる輝度調整手段が備えられていることを特徴とする発光表示パネルの駆動装置。
【請求項２】
前記表示パネルには異なる発光色を呈する発光素子が配列され、前記各発光色毎の発光素子に対応して前記共通アノード線または共通カソード線が形成され、前記輝度調整手段が、前記各発光色毎に備えられていることを特徴とする請求項１に記載された発光表示パネルの駆動装置。
【請求項３】
前記表示パネルに配列された発光素子の点灯率に対する点灯輝度の制御情報を格納した輝度制御情報格納手段が具備され、当該輝度制御情報格納手段からの前記制御情報に基づいて、前記輝度調整手段の動作パラメータが設定されるように構成したことを特徴とする請求項１または請求項２に記載された発光表示パネルの駆動装置。
【請求項４】
前記輝度調整手段は、電気抵抗素子により構成されていることを特徴とする請求項１または請求項２に記載された発光表示パネルの駆動装置。
【請求項５】
前記輝度調整手段は、前記制御情報に基づいて電気抵抗値が設定される可変抵抗器により構成されていることを特徴とする請求項３に記載された発光表示パネルの駆動装置。
【請求項６】
前記可変抵抗器は、オン抵抗が異なる複数のトランジスタによって構成されていることを特徴とする請求項５に記載された発光表示パネルの駆動装置。
【請求項７】
前記可変抵抗器は、複数の電気抵抗素子と、これら抵抗素子を切り換え選択する選択スイッチとにより構成されていることを特徴とする請求項５に記載された発光表示パネルの駆動装置。
【請求項８】
前記可変抵抗器は、制御極端子に供給されるバイアス値により電気抵抗が可変されるトランジスタによって構成されていることを特徴とする請求項５に記載された発光表示パネルの駆動装置。
【請求項９】
前記表示用画素を構成する発光素子は、有機物質からなる発光機能層を少なくとも一層含む有機ＥＬ素子であることを特徴とする請求項１ないし請求項８のいずれか１項に記載されたアクティブマトリクス型発光表示パネルの駆動装置。
【請求項１０】
多数の発光素子を表示用画素として配列し、前記各発光素子を映像信号に基づいて選択的に発光駆動させるように構成した発光表示パネルの駆動方法であって、
前記各発光素子のアノード側を共通接続してなる共通アノード線、または前記各発光素子のカソード側を共通接続してなる共通カソード線の少なくともいずれか一方に輝度調整手段を備え、前記表示パネルに配列された発光素子の点灯率に応じて、当該発光素子の点灯輝度を調整する動作を実行させることを特徴とする発光表示パネルの駆動方法。
【発明の詳細な説明】
【技術分野】
【０００１】
この発明は、多数の発光素子が配列され、前記各発光素子を映像信号に基づいて選択的に発光駆動させる発光表示パネルの駆動技術に関し、特に前記発光素子の点灯率に対応して、消費電力および画像のコントラストを適正に設定することができる発光表示パネルの駆動装置および駆動方法に関する。
【背景技術】
【０００２】
携帯電話機や携帯型情報端末機（ＰＤＡ）などの普及によって、高精細な画像表示機能を有し、薄型かつ低消費電力を実現することができる表示パネルの需要が増大しており、従来より液晶表示パネルがその要求を満たす表示パネルとして多くの製品に採用されてきた。一方、昨今においては自発光型表示素子であるという特質を生かした有機ＥＬ（エレクトロルミネッセンス）素子を用いた表示パネルが実用化され、これが従来の液晶表示パネルに代わる次世代の表示パネルとして注目されている。これは素子の発光機能層に、良好な発光特性を期待することができる有機化合物を使用することによって、実用に耐え得る高効率化および長寿命化が進んだことも背景にある。
【０００３】
前記した有機ＥＬ素子は、基本的にはガラス等の透明基板上に、例えばＩＴＯによる透明電極と有機物質からなる発光機能層と金属電極とが順次積層されることで構成されている。そして、前記発光機能層は、有機発光層の単一層、あるいは有機正孔輸送層と有機発光層からなる二層構造、または有機正孔輸送層と有機発光層および有機電子輸送層からなる三層構造、さらにこれらの適切な層間に電子もしくは正孔の注入層を挿入した多層構造になされる場合もある。
【０００４】
図１は前記した有機ＥＬ素子を発光素子として用いたアクティブマトリクス型表示パネルの基本構成を示したものである。この表示パネル１には走査ドライバ２より走査選択信号が供給されると共に、データドライバ３より映像信号に基づいて各画素に対応した点灯制御信号が個別に供給されるように構成されている。そして、符号Ｅ１〜Ｅｎは前記表示パネル１上において、１つの走査ラインに対応して配置された発光素子としての有機ＥＬ素子を示しており、符号４１〜４ｎは前記データドライバ３からの点灯制御信号を受けて、各ＥＬ素子Ｅ１〜Ｅｎを個々に点灯駆動するＴＦＴによる画素回路を示している。
【０００５】
前記画素回路４１〜４ｎは走査毎に映像信号に基づいてオンまたはオフ状態に設定される等価的なスイッチとして示すことができ、前記各ＥＬ素子Ｅ１〜Ｅｎのアノード側は各画素回路４１〜４ｎを介して共通接続され、その共通アノード線５には駆動電源ＶＨが供給されるように構成されている。また、前記各ＥＬ素子Ｅ１〜Ｅｎのカソード側も共通接続され、その共通カソード線６は回路の基準電位点ＧＮＤに接続されている。
【０００６】
なお、前記画素回路４１〜４ｎとＥＬ素子Ｅ１〜Ｅｎの組み合わせは、紙面の都合で１走査ラインに対応した一部のものが示されているが、前記の組み合わせは図１における縦方向に多数（走査ライン分）配列され、これによりアクティブマトリクス型表示パネルを構成している。
【０００７】
前記したような有機ＥＬ素子を発光画素としたアクティブマトリクス型表示パネルの駆動装置については、すでに多数の出願がなされており、本件出願人からも例えば特許文献１〜３などに示した出願がすでになされている。
【特許文献１】特開２００３−３１６３１５号公報
【特許文献２】特開２００４−２５２０３６号公報
【特許文献３】特開２００５−０５５４８７号公報
【発明の開示】
【発明が解決しようとする課題】
【０００８】
ところで、前記したような発光表示パネルを搭載した電子機器、特に携帯用機器等においては、バッテリーの連続使用時間を延ばすために、表示パネルにおける消費電力をより低減させることが望まれる。前記したようにＥＬ素子のような電流駆動型発光素子を用いた表示パネルにおいては、パネルに配列されたＥＬ素子の点灯率が大きくなるにしたがって、消費電力が増大することは周知のとおりである。したがって、特に発光素子の点灯率が大きな場合において、消費電力を低減させるような手段を採用すれば、消費電力の低減効果をより増大させることができる。
【０００９】
前記したように、素子の点灯率が大きい場合における消費電力を低減させる手段としては、素子の点灯率を把握し、当該点灯率に基づいて発光素子に印加する駆動電流の時間比率を変えたり、ＴＦＴにより構成される画素回路のバイアスを個々に制御するなどして、発光素子に流れる駆動電流量を変えるなどの制御を行うことが考えられる。しかしながら、前記したような制御手段を採用することは、これによる制御の複雑化を招き、表示パネルを含むモジュール全体のコストアップは免れない。
【００１０】
一方、素子の点灯率が小さい場合においては、前記した消費電力についてはさほど問題視されることはない。前記のように素子の点灯率が小さい場合においては、全体的に暗い画面に小面積の画像等が例えば分散して表示されるような場合が多く、したがってこの時に点灯対象とされる画素はむしろ明るくなるように、すなわち画面のコントラストを上げるように制御した方が視覚に訴える明瞭度を増大させることができる。
【００１１】
この発明は、前記したような技術的な観点に基づいてなされたものであり、制御の複雑化を招くことなく、また表示パネルを含むモジュール全体のコストをそれ程上昇させることなく、表示パネルに配列された発光素子の点灯率が高い場合においては低消費電力化を実現し、その点灯率が低い場合においては画面のコントラストを上げることができる発光表示パネルの駆動装置および駆動方法を提供することを課題とするものである。
【課題を解決するための手段】
【００１２】
前記した課題を解決するためになされたこの発明にかかる発光表示パネルの駆動装置は、請求項１に記載のとおり、多数の発光素子を表示用画素として配列し、前記各発光素子を映像信号に基づいて選択的に発光駆動させるように構成した発光表示パネルの駆動装置であって、前記各発光素子のアノード側を共通接続してなる共通アノード線、または前記各発光素子のカソード側を共通接続してなる共通カソード線の少なくともいずれか一方に、前記表示パネルに配列された発光素子の点灯率に応じて、当該発光素子の点灯輝度を調整することができる輝度調整手段が備えられていることを特徴とする。
【００１３】
また、前記した課題を解決するためになされたこの発明にかかる発光表示パネルの駆動方法は、請求項１０に記載のとおり、多数の発光素子を表示用画素として配列し、前記各発光素子を映像信号に基づいて選択的に発光駆動させるように構成した発光表示パネルの駆動方法であって、前記各発光素子のアノード側を共通接続してなる共通アノード線、または前記各発光素子のカソード側を共通接続してなる共通カソード線の少なくともいずれか一方に輝度調整手段を備え、前記表示パネルに配列された発光素子の点灯率に応じて、当該発光素子の点灯輝度を調整する動作を実行させる点に特徴を有する。
【発明を実施するための最良の形態】
【００１４】
以下、この発明にかかる発光表示パネルの駆動装置について、図に示す実施の形態に基づいて説明する。図２はその第１の実施の形態を示した回路構成図である。なお、図２においては、すでに説明した図１に示す各部と同一の機能を果たす部分を同一符号で示しており、したがってその詳細な説明は省略する。また、図２においては図１に示した走査ドライバおよびデータドライバの記載は省略している。
【００１５】
図２においては、発光素子としてのＥＬ素子は一走査ラインに対応した４つのＥＬ素子Ｅ１〜Ｅ４が示されており、またこれに対応したＴＦＴによる４つの画素回路４１〜４４が示されている。そして、図２に示す実施の形態においては、前記各ＥＬ素子のアノード側を共通接続してなる共通アノード線５は、輝度調整手段として機能する電気抵抗素子Ｒａを介して動作電源ＶＨに接続されている。また前記各ＥＬ素子のカソード側を共通接続してなる共通カソード線６は、同じく輝度調整手段として機能する電気抵抗素子Ｒｋを介して回路の基準電位点ＧＮＤに接続されている。
【００１６】
なお、図２に示した実施の形態においては、各ＥＬ素子は、それぞれ同一の発光色を呈するモノクロームの表示パネルを前提としており、表示パネル１に縦横方向にマトリクス状に配列された各ＥＬ素子のアノード側は、スイッチのシンボルマークで示した画素回路をそれぞれ介して共通カソード線６に接続されている。
【００１７】
そして、共通アノード線５には前記したとおり、輝度調整手段として機能する電気抵抗素子Ｒａを介して動作電源ＶＨが供給されるように作用する。また、縦横方向にマトリクス状に配列された各ＥＬ素子のカソード側も前記と同様に全て共通カソード線６に接続され、輝度調整手段として機能する電気抵抗素子Ｒｋを介して基準電位点ＧＮＤに接続されている。
【００１８】
図３および図４は、図２に示した実施の形態において、表示パネルに配列されたＥＬ素子の点灯率に応じてなされる作用を説明するものである。まず、図３はＥＬ素子の点灯率が低い場合の例を説明するものであり、この例においては４つのＥＬ素子のうち１つが点灯制御される状態を示している。この場合においては、アノード側の電気抵抗Ｒａとカソード側の電気抵抗Ｒｋには、ＥＬ素子の１つ分の駆動電流Ｉ１が流れ、それぞれ電気抵抗ＲａとＲｋによる電圧降下量をＶａ，Ｖｋとしたとき、２つの電気抵抗Ｒａ，Ｒｋによる電圧降下量は、式１のように示すことができる。
Ｖａ＋Ｖｋ＝Ｉ１×（Ｒａ＋Ｒｋ）  ……（式１）
【００１９】
その結果、ＥＬ素子の両端に加わる電位差Ｖｆ１は、式２のように示すことができる。
Ｖｆ１＝ＶＨ−Ｉ１×（Ｒａ＋Ｒｋ）  ……（式２）
【００２０】
一方、図４はＥＬ素子の点灯率が高い場合の例を説明するものであり、この例においては４つのＥＬ素子の全てが点灯制御される状態を示している。この例によると、アノード側の電気抵抗Ｒａとカソード側の電気抵抗Ｒｋには、それぞれ４つ分のＥＬ素子の駆動電流４×Ｉ２が流れ、それぞれ電気抵抗ＲａとＲｋによる電圧降下量を同じくＶａ，Ｖｋとしたとき、２つの電気抵抗Ｒａ，Ｒｋによる電圧降下量は、式３のように示すことができる。
Ｖａ＋Ｖｋ＝４×Ｉ２×（Ｒａ＋Ｒｋ）  ……（式３）
【００２１】
その結果、ＥＬ素子の両端に加わる電位差Ｖｆ２は、式４のように示すことができる。
Ｖｆ２＝ＶＨ−４×Ｉ２×（Ｒａ＋Ｒｋ）  ……（式４）
【００２２】
前記式２および式４にそれぞれに示されたＶｆ１とＶｆ２を比較すると、Ｖｆ１＞Ｖｆ２の関係となり、したがってＥＬ素子の点灯率が小さくなるほど、ＥＬ素子の両端電位差Ｖｆは大となる。ＥＬ素子の両端電位差Ｖｆが大となれば、ＥＬ素子に流れる電流値は増大し、これにほぼ比例して発光輝度も増大する。したがって、図２に示した構成によると、ＥＬ素子の点灯率が小さいほど点灯対象とされるＥＬ素子の発光輝度は大きくなり、結果としてコントラストに優れた表示画像が得られることになる。
【００２３】
図５は、前記した点灯率に対する点灯対象とされるＥＬ素子の発光輝度の関係を示したものである。図５に示す破線は前記電気抵抗素子ＲａおよびＲｋが存在しない場合における点灯率に対する点灯対象とされるＥＬ素子の発光輝度の関係を示すものであり、この場合においては、点灯率の如何にかかわらず、ほぼ同一の発光輝度を示すことになる。
【００２４】
これに対して輝度調整手段としての前記電気抵抗ＲａおよびＲｋを配置したことにより、実線の特性で示したように点灯率の増大に伴って、点灯対象とされるＥＬ素子の発光輝度が低下する特性を得ることができる。換言すれば、この輝度特性によると点灯率が低い状態において、点灯対象とされるＥＬ素子の発光輝度は上昇するので前記したようにコントラストの高い画像表現を実現させることができる。
【００２５】
ところで、前記した図３および図４に示した点灯率に対するＥＬ素子の発光輝度の解析から明らかなように、表示パネルの点灯率が高い場合には点灯対象とされる各ＥＬ素子の個々に供給される発光駆動電流は、点灯率が低い場合に比較して低下する。それ故、駆動電圧源ＶＨから基準電位点ＧＮＤに流れる駆動電流の総和は、前記電気抵抗ＲａおよびＲｋが存在しない場合に比較して相対的に低下することになり、これに対応して消費電力は相当に低下することになる。すなわち、図２に示した構成によると、表示パネルの点灯率が高く、消費電力が最も激しくなる場合において、その消費電力を低減させる効果を発揮する。
【００２６】
なお、図２に示した実施の形態においては、共通アノード線５と駆動電源ＶＨとの間に輝度調整手段としての抵抗素子Ｒａを、また共通カソード線６と基準電位点との間に同じく輝度調整手段としての抵抗素子Ｒｋをそれぞれ接続した構成にされているが、これは、前記抵抗素子ＲａとＲｂの合成直列抵抗（Ｒａ＋Ｒｋ）を共通アノード線５側、または共通カソード線６側に配置しても、電気的な特性は変わるものではない。したがって輝度調整手段としての抵抗素子は、共通アノード線または共通カソード線の少なくともいずれか一方に接続した構成にしても同一の作用効果を得ることができる。
【００２７】
次に図６は、この発明の第２の実施の形態を示した回路構成図であり、この実施の形態においては異なる発光色、すなわちＲ（赤），Ｇ（緑），Ｂ（青）の発光色を呈する発光素子が配列されて、カラー表示を実現させるようにした発光表紙パネルの駆動装置を示している。この実施の形態においては、前記Ｒ，Ｇ，Ｂに対応する発光素子としてのＥＬ素子、すなわち図に示すＥＲ１，ＥＧ１，ＥＢ１を各サブピクセルとして１つのカラー画素を構成し、同様にＥＲ２，ＥＧ２，ＥＢ２の各サブピクセルにより他の１つのカラー画素を構成し、これらの組み合わせによるカラー画素が表示パネル１の縦横方向に配列された構成にされている。なお、図６においても紙面の都合により１走査ラインに対応した一部のカラー画素の配列構成のみを示している。
【００２８】
図６に示すカラー表示パネルの駆動装置においては、各発光色毎のＥＬ素子に対応して共通アノード線が形成されている。すなわち、前記Ｒの各ＥＬ素子に対応して共通アノード線５Ｒが配置され、この共通アノード線５Ｒは、輝度調整手段としての抵抗素子ＲａＲを介して、前記Ｒに対応して駆動電圧が出力される駆動電圧源ＶＨＲに接続されている。
【００２９】
また、前記Ｇの各ＥＬ素子に対応して共通アノード線５Ｇが配置され、この共通アノード線５Ｇは、輝度調整手段としての抵抗素子ＲａＧを介して、前記Ｇに対応して駆動電圧が出力される駆動電圧源ＶＨＧに接続されている。同様に前記Ｂの各ＥＬ素子に対応して共通アノード線５Ｂが配置され、この共通アノード線５Ｂは、輝度調整手段としての抵抗素子ＲａＢを介して、前記Ｂに対応して駆動電圧が出力される駆動電圧源ＶＨＢに接続されている。
【００３０】
また、図６に示す実施の形態においては、前記した各Ｒ，Ｇ，Ｂに対応するＥＬ素子のカソードは全て共通カソード線６に接続され、共通カソード線６と基準電位点との間には輝度調整手段としての抵抗素子Ｒｋが接続された構成にされている。なお、この図６に示す実施の形態においては、共通カソード線６と基準電位点との間に接続された輝度調整手段としての抵抗素子Ｒｋを省略して、各共通アノード線側のみに前記抵抗素子ＲａＲ，ＲａＧ，ＲａＢをそれぞれ配置した構成とすることもできる。
【００３１】
図６に示した構成によると、各発光色毎のＥＬ素子が共通アノード線に接続され、各共通アノード線毎と各駆動電源との間にそれぞれ独立した輝度調整手段としての抵抗素子ＲａＲ，ＲａＧ，ＲａＢが接続されているので、各発光色毎に図３および図４に基づいて説明した作用効果をそれぞれ得ることができる。
【００３２】
この図６に示す構成においては、各共通アノード線５Ｒ，５Ｇ，５Ｂ側に接続される各抵抗素子ＲａＲ，ＲａＧ，ＲａＢの値をそれぞれ選定し、また必要に応じて共通カソード線６と基準電位点との間に抵抗素子Ｒｋを接続することで、発光色毎の図５に実線で示した点灯率に対する発光輝度特性（以下、これを傾斜特性とも言う。）を、ほぼ同一の傾斜状態となるように揃えることができる。これにより点灯率の如何にかかわらず、良好なカラーバランス（ホワイトバランス）を保持した状態で画像表示を行うことができる。
【００３３】
図７は、この発明の第３の実施の形態を示した回路構成図であり、この実施の形態においては先に説明した図２に示す構成に対して、輝度制御情報格納手段７および制御手段８がさらに具備された構成にされている。前記輝度制御情報格納手段７は、例えばＥＥＰＲＯＭ等のメモリにより構成されており、これは発光表示パネルを含むモジュールと共に提供され、その表示パネルに対応した点灯率に対する発光輝度特性（図５に実線で示した傾斜特性）が格納され、これを読み出すことができるように構成されている。
【００３４】
前記格納手段７より読み出された前記傾斜特性に関するデータは、制御手段８に供給され、制御手段８は前記した輝度調整手段の動作パラメータを設定するようになされる。すなわち、制御手段８は前記傾斜特性に関するデータを受けて、共通アノード線５側に接続された輝度調整手段としての電気抵抗素子Ｒａまたは共通カソード線６側に接続された同じく輝度調整手段としての電気抵抗素子Ｒｋの少なくともいずれか一方の値を設定するように機能する。すなわち、図７に示す実施の形態において採用される電気抵抗素子Ｒａ，Ｒｋは、制御手段８からの制御信号によってその抵抗値が設定される可変抵抗器が用いられる。
【００３５】
図７に示す構成によると、各表示パネルの電気的な特性に応じて、図５に実線で示した傾斜特性を得ることができる設定データが輝度制御情報格納手段７に格納され、これを読み出すことができる。したがって、各表示パネルに応じて理想的な動作特性を容易に設定することができる。
【００３６】
また、図７に示す構成はモノクロームの表示パネルを対象としているが、これはすでに説明した図６に示すようなカラー表示パネルを採用した駆動装置にも応用することができる。この場合においては、前記輝度制御情報格納手段７に、Ｒ，Ｇ，Ｂによるカラーバランス（ホワイトバランス）を良好に保つことができる設定データを格納しておくことで、表示パネルの点灯率にかかわらず良好なカラーバランスを発揮させることができる駆動装置を提供できる。
【００３７】
図８は、図７に示した構成において採用し得る輝度調整手段としての可変抵抗器ＲａもしくはＲｋの具体例を示すものである。まず図８（Ａ）は、オン抵抗が異なるｎ個のｎｐｎ型トランジスタＱ１〜Ｑｎが用意され、これらトランジスタの各コレクタおよびエミッタが共通接続されている。そしていずれかのトランジスタのベースに、図７に示す制御手段８より制御信号（オン動作信号）が供給されることで、可変抵抗器の抵抗値が設定されるように作用する。
【００３８】
図８（Ｂ）に示す可変抵抗器ＲａもしくはＲｋの構成は、ｎ個の電気抵抗素子Ｒ１〜Ｒｎと、これら各抵抗素子を切り換え選択するｎ個の選択スイッチＳ１〜Ｓｎが具備されている。そして、選択スイッチＳ１〜Ｓｎが制御手段８からの制御信号を受けて択一的に、もしくは複数オン動作されることで可変抵抗器の抵抗値が設定されるように作用する。
【００３９】
図８（Ｃ）に示す可変抵抗器ＲａもしくはＲｋの構成は、１つのｎｐｎ型トランジスタにより構成されている。すなわち、トランジスタの制御極端子であるベースに制御手段８からの制御信号であるベース電流Ｉｂが供給されることで、これに応じたコレクタ電流Ｉｃが流れることを利用し、コレクタ・エミッタ間の等価的な抵抗値が設定されるように構成される。
【００４０】
なお、以上説明した実施の形態においては、輝度調整手段として機能する抵抗素子（可変抵抗器）Ｒａ，Ｒｋはいずれも表示パネル１より外に配置された外付け構成にされているが、前記輝度調整手段は例えば図９に示したように、表示パネル１内に含むように構成されていても、同様の作用効果を得ることができる。これは、図６および図７に示した各実施の形態においても同様である。
【００４１】
また、以上説明した実施の形態においては、表示パネルに配列される表示用発光素子として有機ＥＬ素子を用いた例を示しているが、発光輝度が駆動電流値に依存する他の発光素子を用いた場合においても、同様の作用効果を享受することができる。
【図面の簡単な説明】
【００４２】
【図１】アクティブマトリクス型表示表示パネルとそのドライバの基本構成を示した回路構成図である。
【図２】この発明にかかる駆動装置の第１の実施の形態を示した回路構成図である。
【図３】図２に示す構成において点灯率が低い状態を説明する回路構成図である。
【図４】同じく点灯率が高い状態を説明する回路構成図である。
【図５】点灯率に対する輝度特性の関係を説明する特性図である。
【図６】この発明にかかる駆動装置の第２の実施の形態を示した回路構成図である。
【図７】同じく第３の実施の形態を示した回路構成図である。
【図８】図７に示す実施の形態において採用し得る輝度調整手段の各構成を示した回路構成図である。
【図９】図２に対応する他の実施の形態を説明する回路構成図である。
【符号の説明】
【００４３】
１          表示パネル
２          走査ドライバ
３          データドライバ
４１〜４ｎ  画素回路
５          共通アノード線
６          共通カソード線
７          輝度制御情報格納手段
８          制御手段
Ｑ１〜Ｑｎ  トランジスタ
Ｒ１〜Ｒｎ  抵抗素子
Ｒａ，Ｒｋ  輝度調整手段（電気抵抗素子、可変抵抗器）
Ｓ１〜Ｓｎ  選択スイッチ
【図１】
2006276324.tif 000003
【図２】
2006276324.tif 000004
【図３】
2006276324.tif 000005
【図４】
2006276324.tif 000006
【図５】
2006276324.tif 000007
【図６】
2006276324.tif 000008
【図７】
2006276324.tif 000009
【図８】
2006276324.tif 000010
【図９】
2006276324.tif 000011